(57)【要約】      （修正有）【課題】良好な視界を得る事ができ、野菜屑等の飛散を防止することができる青果物表面用クリーナーを提供する。【解決手段】手持ち型の果物あるいは野菜の表面用クリーナー１０は、ハンドル１１、ハンドルに取付けられた覆い１７、ハンドル内に収納されたモーター１４と電池１２、モーターから延びる出力シャフト１５、そして出力シャフトに取付けられ、かつ出力シャフトの一部を囲む用具２０を有する。用具２０を青果の表面に当て電源を入れると、用具が回転する。覆いは用具に沿って延びており透光性を有している。【選択図】図１
2005000674.tif 000002
【特許請求の範囲】
【請求項１】
ハンドルを備えたハウジングと、
該ハウジング内に収納されたモーターと、
該モーターから延びる出力シャフトと、
該出力シャフトに取付けられ、かつ前記ハウジング内にある前記シャフトの一部を囲ん
でいるクリーニングあるいは表面除去のための用具と
により構成されていることを特徴とする青果物の表面用クリーナー。
【請求項２】
前記出力シャフトの一部分は、ハウジングの突出部内に位置していることを特徴とする請求項１記載のクリーナー。
【請求項３】
前記突出部は、出力シャフトを支持する１又は２個のベアリングを有することを特徴とする請求項２記載のクリーナー。
【請求項４】
前記突出部の先端部は、出力シャフトと係合するシールを備えていることを特徴とする請求項２記載のクリーナー。
【請求項５】
前記出力シャフトには、コネクターが取付けられており、このコネクターに前記用具が取付けられていることを特徴とする請求項１記載のクリーナー。
【請求項６】
前記ハンドルには、覆いが取付けられており、この覆いは前記用具に沿って延びていることを特徴とする請求項１記載のクリーナー。
【請求項７】
前記ハンドルは、一個また複数個の電池を収納していることを特徴とする請求項１記載のクリーナー。
【請求項８】
前記覆いは、透光性であることを特徴とする請求項６記載のクリーナー。
【請求項９】
前記覆いは、透明であることを特徴とする請求項６記載のクリーナー。
【請求項１０】
前記電池は、ハンドルの外側にある手段によって再充電可能であることを特徴とする請求項７記載のクリーナー。
【発明の詳細な説明】
【技術分野】
【０００１】
本発明は、果物や野菜の表面用クリーナーに関するものである。更に詳細には、限定するものではないが、本発明は、防水性があり、手持ち型で、電池によって作動される青果物表面用のクリーナーであって、モーター駆動により回転し、覆いによって保護された清掃具を有するものである。
【背景技術】
【０００２】
調理用あるいはそのまま食べる青果物を準備する際には、まずそれらを洗うことが望ましい。たとえば、ジャガイモを洗う際には、水に浸し、手やブラシや束子でこするのが一般的だが、これらの作業は時間を要し、面倒である。
【０００３】
たとえば、りんごは食べる前に洗うべきであるが、これは販売用に見かけを良くするためにワックス剤などでコーティングされていることによるものである。りんごを食べる前に、このワックス剤をできる限り除去すべきである。大抵の人はりんごを水でざっと手洗いするだけだが、通常では、これではワックスによるコーティングを取り去るには不十分である。
【発明の開示】
【発明が解決しようとする課題】
【０００４】
本発明の目的は、上記の不都合な点の少なくとも一つを克服あるいは実質的に緩和することにあり、さらに詳細には手持ち型の青果物表面用のクリーナー（あるいはリムーバー）を提供することにある。
【０００５】
本発明の他の目的は、ぬれた果物や野菜に使用することができる手持ち型の青果物表面用クリーナー（あるいはリムーバー）を提供することにある。
【０００６】
更に、本発明の他の目的は、回転具と、作動中に作業者に向かって飛んでくる屑の破片を遮断するために前記回転具の近くに設けられた覆いとを有する手持ち型の青果物表面用クリーナー（あるいはリムーバー）を提供することにある。
【課題を解決するための手段】
【０００７】
ここで開示する手持ち型の青果物表面用クリーナー（あるいはリムーバー）は、
ハンドルを備えたハウジングと、
該ハウジング内に収納されたモーターと、
該モーターから延びる出力シャフトと、
該出力シャフトに取付けられ、かつ前記ハウジング内にある前記シャフトの一部を囲ん
でいるクリーニングあるいは表面除去のための用具と
を備えている。
【０００８】
前記出力シャフトの一部は、ハウジングの突出部の内側に位置することが望ましい。
【０００９】
前記突出部は、出力シャフトを支える１〜２個のベアリングを有していることが望ましい。
【００１０】
前記突出部の端部には出力シャフトに係合するシールを備えていることが望ましい。
【００１１】
前記出力シャフトには前記用具を取付けるためのコネクターが取り付けられていることが望ましい。
【００１２】
前記覆いは前記ハンドルに取付けられ、前記用具に沿って延びていることが望ましい。
【００１３】
前記ハンドルは、一個または複数個の電池を収納していることが望ましい。
【００１４】
あるいは、本装置はコンセントからとった電源により作動できる。
【００１５】
前記覆いは、透光性であることが望ましい。
【００１６】
前記覆いは、透明であることが更に望ましい。
【００１７】
前記電池は、ハンドルの外側にある手段によって再充電可能であることが望ましい。
【００１８】
あるいは、前記電池は再充電できないものでもよい。
【発明を実施するための最良の形態】
【００１９】
添付された図１には、青果物表面用のクリーナー（あるいはリムーバー）１０が概念的に表されており、これをこれ以降単に装置１０と称する。装置１０は、二個の電池１２とモーター１４を収納するハンドル（握り部）１１を備えており、前記モーター１４はスイッチ１３を介して電池１２から電気を送られるようになされている。ハンドル１１は、一般的にはプラスチック材料を成型したものからなる。
【００２０】
一般的にはハンドル１１と一体的に作られる突出部１９は、ハンドルの前方から突出している。突出部１９の基部と先端部には内側ベアリング１６が設けられており、モーター１４の出力シャフト１５を支えている。突出部１９の先端部にはベアリング１６を通過して水が浸入することを防ぐためにシールが設けられている。
【００２１】
出力シャフト１５の先端部には、コネクター２１が固定されている。コネクター２１は、プラスチック成型によって形成されてもよく、選択されたクリーニング用具２０に対して外側に向かって保持力を加えるように設計されている。外側に保持力を単に加える代わりに、コネクターとクリーニング用具の内側表面とにスプラインシャフトの相互連結のような噛み合せ溝を備えることもできる。
【００２２】
用具の一部を囲う覆い１７は、常時あるいは一時的にハンドル１１に取付けられている。覆いは、透明であるのが望ましいが、代わりに半透明あるいは不透明であってもよい。覆いは、一般的にはプラスチック素材からなる。それは接着されても、留め金でとめられても、一体的に作られても、あるいは他の方法によってハンドル１１に取付けられてもよい。
【００２３】
使用において、ぬれたあるいは乾いている果物や野菜を装置１０によって掃除したり皮をむいたりすることができる。この目的のために、用具は作動スイッチ１３によって回転を起こされる。次に、作業者のたとえば目を保護するように用具２０と作業者の顔の間に覆い１７が位置するようにして、用具が果物や野菜の表面に押し当てられる。もし、覆いが透明であれば、作業者は果物や野菜そして用具２０に対して良好に見ることが可能である。クリーニングあるいは皮むきは、台所の流し上で装置が部分的あるいは完全に水に浸された状態であってもすることができる。
【００２４】
図示のように、用具２０は、突出部１９を囲むハンドル寄りの端部を有する。この部分は実際にシール１８を経由しようとする水にとって曲がりくねった道であり、したがってベアリング１６を通り過ぎて浸入しようとする水を排除するのに役立つ。
【００２５】
電池１２は、再充電ができないものもあるが、一般的には再充電可能型であって、充電可能な場合には充電コイルがハンドルの下端部に配置されてもよい。そのようなコイルは、コンセントから電源をとるベンチトップ型の充電スタンドの磁場内に置くことができる。
【００２６】
いくつかの異なったタイプのクリーニングあるいは皮むき用の用具が図２から図１０に示されている。
【００２７】
図２には、表面に細かいクリーニング用溝を有する多目的なプラスチック製用具２０Ａが表されている。用具２０Ａの先端部は十字形になっており、十字の外側縁は細かい鋸歯状となっている。
【００２８】
図３には、多目的に使用される剛毛を有する用具２０Ｂが表されている。
図４には、曲面を有する硬軟の用具２０Ｃが表されている。この用具の曲面は、この用具が比較的丸みのある果物や野菜に使用することを可能にしている。用具２０Ｃは、螺旋ぎり状の先端部を有する。
【００２９】
図５には、ポリッシャー、クリーナーあるいはこすり具として有用である用具２０Ｄが表されている。この用具は、円柱状をした主たる表面に４本の放射状にのびた縦方向に波型をなす突条を有する。
【００３０】
図６には、用具２０Ｅが表されているが、この用具は一般的にはプラスチック素材で作られ、そして果物や野菜に溝を彫るように意図されている。この用具は、用具の回転によって複数の溝を彫ることのできるいくつかのこぶを備えている。
【００３１】
図７には、ヤスリ用具２０Ｆが表されており、その円柱形の表面にはヤスリ歯を有し、先端部にはヤスリ歯を有する螺旋ぎり状の延長部がある。
【００３２】
図８には、螺旋状のこすり用具２０Ｇが表され、この用具は、一般的にはプラスチック材料により作られ、果物あるいは野菜の表面から石屑などを取り払う手助けとなるよう意図されている。
【００３３】
最後に、図９と図１０には、頑丈な寸断用具２０Ｈが表されており、この用具は、長い４分円形状の各々の窪みの後ろ側に、直径方向の反対側に位置する一対の刃を有している。これらの刃は、プラスチック成型された用具と一体部分であってもよいし、あるいは金属片を取付けたものでもよい。
【００３４】
図に示された個々の用具において、先端部分は、果物あるいは野菜に先端部を向けることによって、芽、果柄、芯あるいはその他取除くことが難しい付着物を取り去るのに使用される。
【００３５】
当業者にとって自明の修正や変更は、本発明の範囲外とはならないと認識されるべきである。たとえば、電池１２は、再充電の不可能なタイプであってもよいし、そのような場合にはハンドル11の下端部には取外しのできるキャップが設けられてもよい。
【図面の簡単な説明】
【００３６】
【図１】青果物表面用クリーナーの概略図である。
【図２】図１のクリーナーに取付ける他のクリーニングあるいは表面除去用用具の概略図である。
【図３】図１のクリーナーに取付ける他のクリーニングあるいは表面除去用用具の概略図である。
【図４】図１のクリーナーに取付ける他のクリーニングあるいは表面除去用用具の概略図である。
【図５】図１のクリーナーに取付ける他のクリーニングあるいは表面除去用用具の概略図である。
【図６】図１のクリーナーに取付ける他のクリーニングあるいは表面除去用用具の概略図である。
【図７】図１のクリーナーに取付ける他のクリーニングあるいは表面除去用用具の概略図である。
【図８】図１のクリーナーに取付ける他のクリーニングあるいは表面除去用用具の概略図である。
【図９】図１のクリーナーに取付ける他のクリーニングあるいは表面除去用用具の概略図である。
【図１０】図１のクリーナーに取付ける他のクリーニングあるいは表面除去用用具の概略図である。
【図１】
2005000674.tif 000003
【図２】
2005000674.tif 000004
【図３】
2005000674.tif 000005
【図４】
2005000674.tif 000006
【図５】
2005000674.tif 000007
【図６】
2005000674.tif 000008
【図７】
2005000674.tif 000009
【図８】
2005000674.tif 000010
【図９】
2005000674.tif 000011
【図１０】
2005000674.tif 000012